(57)【要約】【課題】集塵効率を低下させることなく、抗菌性、防カビ性、抗ウィルス性、抗アレルゲン性、吸湿性の機能を発揮する機能性フィルターを提供することを目的とする。【解決手段】抗菌性を有する素材、防カビ性を有する素材、抗ウィルス性を有する素材、抗アレルゲン性を有する素材、吸湿性を有する素材の中から２つ以上の素材を混合した処理剤を添着した非導電性濾剤１に接着剤３を介してエレクトレットフィルタ等からなる帯電性濾剤３を接着して機能性フィルター４を形成したことにより、複数種類の有害物質を除去できる機能を集塵効率を低下することなく発揮することができる。【選択図】図１
2005152793.tif 000002
【特許請求の範囲】
【請求項１】
抗菌性を有する素材、防カビ性を有する素材、抗ウィルス性を有する素材、抗アレルゲン性を有する素材、吸湿性を有する素材の中から２つ以上の素材を混合した処理剤を添着した非導電性濾材と、帯電性濾材とを備え、前記非導電性濾材と帯電性濾材を接着して構成した機能性フィルター。
【請求項２】
抗菌性を有する素材、防カビ性を有する素材、抗ウィルス性を有する素材、抗アレルゲン性を有する素材、吸湿性を有する素材の中から２つ以上の素材を混合した処理剤に接着剤を混合して形成した接着性処理剤を添着した非導電性濾材と、帯電性濾材とを備え、前記非導電性濾材に帯電性濾材を前記接着性処理剤により接着して構成した機能性フィルター。
【請求項３】
抗菌性を有する素材、防カビ性を有する素材、抗ウィルス性を有する素材、抗アレルゲン性を有する素材、吸湿性を有する素材の中から２つ以上の素材を混合した処理剤と合成繊維材料との混合物により形成される非導電性濾材と、帯電性濾材とを備え、前記非導電性濾材と帯電性濾材を接着して構成した機能性フィルター。
【請求項４】
抗菌性、抗ウィルス性を有する素材がカテキン類である請求項１、２または３記載の機能性フィルター。
【請求項５】
抗アレルゲン性を有する素材が高分子フェノール性水酸基を有してなる請求項１、２または３記載の機能性フィルター。
【請求項６】
非導電性濾材と帯電性濾材の接着前の加熱温度を１５０℃以下とした請求項１、２または３記載の機能性フィルターの製造方法。
【請求項７】
請求項１〜３のいずれかに記載の機能性フィルターを搭載した空気清浄装置、換気装置、加温装置、加湿装置、布団乾燥装置、空気調和装置、熱交換装置のいずれかの装置。
【請求項８】
請求項１〜３記載の機能性フィルターから構成されたマスク。
【発明の詳細な説明】
【技術分野】
【０００１】
本発明は、空気中に浮遊する有害性物質を捕集し、捕集した物質の有害性を抑制する機能性フィルターと装置および製造方法に関する。
【背景技術】
【０００２】
従来この種の機能性フィルターの一例として不織布フィルターに花粉症予防剤等の液剤を含浸させたものが知られている（例えば、特許文献１参照）。
【０００３】
以下、その不織布フィルターについて図１３および図１４を参照しながら説明する。
【０００４】
図に示すように、特定繊維の疎水性不織布１０１の少なくとも片面に親水性繊維１０２を設け、疎水生不織布１０１と親水性繊維１０２は水流交路により互いに絡み合い一体化されている。また、疎水性不織布１０１の他の面には親水性繊維と疎水性繊維の混合繊維１０３が配され、水その他の液剤（花粉症予防剤）を含浸させて、不織布フィルターを形成している。
【特許文献１】特開２００１−１７９０１９号公報（［００１１］、図１、図３）
【発明の開示】
【発明が解決しようとする課題】
【０００５】
このような従来の不織布フィルターでは、不織布フィルターに水を含浸させ、含浸した水に花粉症予防剤等を入れているため、花粉症予防剤の含浸性が少なくなるとともに、集塵効率が低下するという課題があり、集塵効率が低下しないようにすることが要求されている。
【０００６】
また、抗アレルゲン性として、花粉症には対応することができるが、集塵効率を下げることなく抗菌性、防カビ性、抗ウィルス性の複数の機能を同時に発揮することが難しいという課題があり、一つのフィルターで抗菌性、防カビ性、抗ウィルス性、抗アレルゲン性などを集塵機能とともに発揮することが要求されている。
【０００７】
本発明は、このような従来の課題を解決するものであり、集塵効率を低下させることなく、抗菌性、防カビ性、抗ウィルス性、抗アレルゲン性などの機能を合わせて発揮することのできる機能性フィルターと装置および製造方法を提供することを目的としている。
【課題を解決するための手段】
【０００８】
本発明の機能性機能性フィルターは複数種類の有害物質を除去できるように素材を混合した処理剤を添着した非導電性濾材に帯電性濾材を接着し構成したものである。
【０００９】
この手段により、複数種類の有害物質を除去できる機能を。集塵効率を低下することなく発揮することができる。
【００１０】
また、他の手段は、複数種類の有害物質を除去できるように素材を混合した処理剤に接着剤を混合して接着性処理剤を形成し、この接着性処理剤を添着した非導電性濾材に帯電性濾材を接着して構成したものである。
【００１１】
この手段により非導電性濾材と帯電性濾材の接着時に別個に接着剤を用いる必要がなくなり、製造工程の削減を図ることができるとともに、複数種類の有害物質を除去できる機能を、集塵効率を低下することなく発揮することができる。
【００１２】
また、他の手段は、複数種類の有害物質を除去できるように素材を混合した処理剤と合成繊維材料との混合物により非導電性濾材を形成し、この非導電性濾材に帯電性濾材を接着して構成したものである。
【００１３】
この手段により、非導電性濾材の材料段階で２つ以上の素材を混合させることにより、水洗時等においても有効成分が溶け出しにくい効果をもたらすとともに、複数種類の有害物質を除去できる機能を集塵効率を低下することなく発揮することができる。
【００１４】
また、他の手段は、抗菌性、抗ウィルス性を有する素材がカテキン類である構成としたものである。
【００１５】
この手段により、空気中に浮遊するウィルス等の菌を除去する素材として緑茶、紅茶、柿などからの成分抽出によって得られるカテキン類のみで抗菌性と抗ウィルス性が得られ、素材の組み合わせを少なくすることができる。
【００１６】
また、他の手段は、抗アレルゲン性を有する素材が高分子フェノール性水酸基を有した構成としたものである。
【００１７】
この手段により、抗アレルゲンを有する素材として、タンニン酸、ヒドロキシ安息香酸系化合物、芳香族ヒドロキシ化合物、またはその塩、または重合体、アルカリ金属の炭酸塩、明ばん、ラウリルベンゼンスルホン酸塩、ラウリル硫酸塩、ポリオキシエチレンラウリルエーテル硫酸塩などから選択して用いることができる。
【００１８】
また、他の手段は、非導電性濾材と帯電性濾材の接着前の加熱温度を１５０℃以下として製造する方法としたものである。
【００１９】
この手段により、フィルター繊維の収縮、変形や、非導電性濾材に添着する素材の変質が防止でき、安定した状態で製造することができる。
【００２０】
また、他の手段は、機能性フィルターを搭載した空気清浄装置、換気装置、加温装置、加湿装置、布団乾燥装置、空気調和装置、熱交換装置のいずれかの装置を構成したものである。
【００２１】
この手段により、各装置の装置自体の機能以外に抗菌性、防カビ性、抗ウィルス性、抗アレルゲン性、吸湿性の機能により空気が浄化され、真菌症、細菌感染、インフルエンザ等のウィルス感染を予防することができる。
【００２２】
また、他の手段は、機能性フィルターによりマスク構成したものである。
【００２３】
この手段により、ダニ、花粉、細菌、カビ、ウィルス等の浮遊有害物質が人体に吸入されることが防止され、真菌症、細菌感染、インフルエンザ等の感染を予防することができる。
【発明の効果】
【００２４】
本発明によれば、集塵効率を低下させることなく、抗菌性、防カビ性、抗ウィルス性、抗アレルゲン性、吸湿性のいずれか複数の機能を発揮することができる機能性フィルターを提供できる。
【００２５】
また、製造工程を少なくすることができる。
【００２６】
また、水洗などにおいて有効成分が溶け出しにくくすることができる。
【００２７】
また、フィルター繊維の収縮変形や、非道性濾材に添着する素材の変質を防止して安定した状態で製造できる製造方法を提供できる。
【００２８】
また、装置自体の機能以外に、抗菌性、防カビ性、抗ウィルス性、抗アレルゲン性、吸湿性の機能により空気を浄化することができる装置を提供できる。
【００２９】
また、ダニ、花粉、細菌、カビ、ウィルス等の浮遊有害物質が人体に吸入されるのを防止できるマスクを提供できる。
【発明を実施するための最良の形態】
【００３０】
本発明の請求項１記載の発明は、抗菌性を有する素材、防カビ性を有する素材、抗ウィルス性を有する素材、抗アレルゲン性を有する素材、吸湿性を有する素材の中から２つ以上の素材を混合した処理剤を添着した非導電性濾材と、帯電性濾材とを備え、前記非導電性濾材と帯電性濾材を接着したことにより、抗菌性、防カビ性、抗ウィルス性、抗アレルゲン性、吸湿性のいずれか複数の機能を集塵効率を低下することなく発揮することができる作用を有する。
【００３１】
また、請求項２記載の発明は、抗菌性を有する素材、防カビ性を有する素材、抗ウィルス性を有する素材、抗アレルゲン性を有する素材、吸湿性を有する素材の中から２つ以上の素材を混合した処理剤に接着剤を混合した接着性処理剤を添着した非導電性濾材と、帯電性濾材とを備え、前記非導電性濾材に帯電性濾材を前記接着性処理剤により接着したものであり、非導電性濾材に帯電性濾材の接着時に別個に接着剤を用いる必要がなくなり、接着剤の塗布工程となる製造工程を削減することができるとともに、抗菌性、防カビ性、抗ウィルス性、抗アレルゲン性、吸湿性の機能を集塵効率を低下することなく発揮することができる作用を有する。
【００３２】
また、請求項３に記載の発明は、抗菌性を有する素材、防カビ性を有する素材、抗ウィルス性を有する素材、抗アレルゲン性を有する素材、吸湿性を有する素材の中から２つ以上の素材を混合した処理剤と合成繊維材料との混合物により形成される非導電性濾材と、帯電性濾材とを備え、前記非導電性濾材と帯電性濾材を接着したものであり、非導電性濾材の材料の段階で２つ以上の素材が混合されることとなり、フィルター濾材に加工されたものが水洗時等において有効成分が溶け出しにくい効果をもたらすとともに、抗菌性、防カビ性、抗ウィルス性、抗アレルゲン性、吸湿性の機能を集塵効率を低下することなく発揮することができる作用を有する。
【００３３】
また、請求項４記載の発明は、抗菌性、抗ウィルス性を有する素材がカテキン類である構成としたものであり、エピガロカテキンガレード、エピカテキンガレード、エピガロカテキン、エピカテキン、（＋）カテキン、およびこれらの属性体、遊離型テアフラビン、エアフラビンモノガレードＡ、エアフラビンモノガレードＢ並びにエアフラビンジガレードなどが有効であり、緑茶、紅茶、柿などから成分抽出するカテキン類が抗菌と抗ウィルス機能を発揮して、素材の種類を少なくできる作用を有する。
【００３４】
また、請求項５記載の発明は、抗アレルゲン性を有する素材が高分子フェノール性水酸基を有してなるものであり、タンニン酸、ヒドロキシ安定香酸系化合物、芳香族ヒドロキシ化合物、または、その塩または、重合体、アルカリ金属の炭酸塩、明ばん、ラウリルベンゼンスルホン酸塩、ラウリル硫酸塩、ポリオキシエチレンラウリルエテール硫酸塩などから選択して用いることができる。
【００３５】
また、請求項６記載の発明は、非導電性濾材と帯電性濾材の接着前の加熱温度を１５０℃以下とした機能性の製造方法であり、フィルター繊維の収縮に伴う変形や処理液中の変質を起こす恐れのない製造方法が得られるという作用を有する。
【００３６】
また、請求項７記載の発明は、機能性フィルターを搭載した空気清浄装置、換気装置、加温措置、加湿装置、布団乾燥装置、空気調和装置、熱交換装置のいずれかの装置としたものであり、機能性フィルターを装置の吸入口と吹出口間に配して用いることにより、室内の空気を浄化し、真菌症、細菌感染、インフルエンザ等のウィルス感染を予防することができるという作用を有する。
【００３７】
また、請求項８記載の発明は、機能性フィルターを用いてマスクを構成したものであり、ダニ、花粉、細菌、カビ、ウィルス等の浮遊有害物質が人体に吸入されることが防止され、真菌症、細菌感染、インフルエンザ等のウィルス感染を予防することができる作用を有する。
【００３８】
以下、本発明の実施の形態について、図面を参照しながら説明する。
【００３９】
（実施の形態１）
図１に示すように、抗菌性を有する素材として、銀、銅、亜鉛などの金属イオンを溶出する無機化合物、銀、銅、亜鉛の金属微粒子、ヨウ素化合物類、フェノール類、第４アンモニウム塩類、イミダゾール化合物類、安息香酸類、過酸化水素、クレゾール、クロルヘキシジン、イルガサン、アルデヒド類、ソルビン酸等の薬剤や、リゾチーム・セルラーゼ・プロテアーゼなどの酵素製剤、カテキン類、竹抽出物、ヒノキ抽出物、わさび抽出物、からし抽出物などの天然成分抽出物などの素材、
また、防カビ性を有する素材として、有機窒素化合物、硫黄系化合物、有機酸エステル類、有機ヨウ素系イミダゾール化合物、ベンザゾール化合物などの素材、
また、抗ウィルス性を有する素材として、銀・銅・亜鉛などの金属イオンを溶出する無機化合物、銀・銅・亜鉛の金属微粒子、低級アルコール類、カテキン類、ヒノキチオールなどの素材、
また、抗アレルゲン性を有する素材として、タンニン酸、ヒドロキシ安息酸系化合物、芳香族ヒドロキシ化合物、またはその塩、または重合体、アルカリ金属の炭酸塩、明ばん、ラウリルベンゼンスルホン酸塩、ラウリル硫散塩、ポリオキシエチレンラウリルエーテル硫酸塩などの高分子フェノール性水酸基を有する素材、
また、吸湿性を有する素材として、ポリエーテルエステル系ポリマー、ポリエーテルエステルアミド系ポリマー、ポリビニルピロリドン系ポリマー、ポリエチレンオキサイド架橋物などの吸湿性ポリマーほかシランカップリング剤系架橋物、シリカゲルやゼオライト等の各種無機化合物などの素材、等の中から２つ以上の素材を混合した処理剤を添着した非導電性濾材１と、エレクトレットフィルターからなる帯電性濾材２を接着剤３で接着して空気清浄フィルター４を形成し構成する。
【００４０】
上記構成の機能性フィルター４を使用するときには、空気流路の風上側に帯電性濾材２側を配し、風下側に非導電性濾材１側を配設して使用する。
【００４１】
そして、抗菌性を有する素材、防カビ性を有する素材、抗ウィルス性を有する素材、抗アレルゲン性を有する素材、吸湿性を有する素材の中から選ばれる２つ以上の素材が非導電性濾材１に添着されているため、空気中に浮遊しているダニ、花粉、細菌、カビ、ウィルス等の浮遊有害物質を帯電性濾材２に捕集し、捕集した有害物質を非導電性濾材１で不活化することができる。
【００４２】
添着される素材は捕集して不活化したい物質に応じて適宜選択することができる。
【００４３】
また、処理剤を非導電性濾材１に添着したのち、帯電性濾材２を接着剤３で接着させることにより、抗菌性、防カビ性、抗ウィルス性、抗アレルゲン性、吸湿性の機能を、集塵効率を低下させることなく発揮する機能性フィルター４を得ることができる。
【００４４】
（実施の形態２）
図２に示すように実施の形態１で詳細に説明した抗菌性を有する素材、防カビ性を有する素材、抗ウィルス性を有する素材、抗アレルゲン性を有する素材、吸湿性を有する素材の中から２つ以上の素材を混合した処理液に接着剤を混合して形成した接着性処理剤５を添着して非導電性濾材１Ａとする。エレクトレットフィルター等からなる帯電性濾材２Ａを非導電性濾材１Ａに添着されている接着性処理剤５により接着して機能性フィルター４Ａを構成する。
【００４５】
上記構成の機能性フィルター４Ａを使用するときには、空気流路の風上側に帯電性濾材２Ａ側を配し、風下側に非導電性濾材１Ａ側を配設して使用する。
【００４６】
そして、抗菌性を有する素材、防カビ性を有する素材、抗ウィルス性を有する素材、抗アレルゲン性を有する素材、吸湿性を有する素材の中から選ばれた２つ以上の素材がフィルターに添着されているため、空気中に浮遊しているダニ、花粉、細菌、カビ、ウィルス等の浮遊有害物質を帯電性濾材２Ａで捕集し、捕集した有害物質を非導電性濾材１Ａで不活化することができる。添着される素材は捕集して不活化したい物質に応じて適宜選択することができる。
【００４７】
また、処理剤に非導電性濾材１Ａと帯電性濾材２Ａを接着する接着剤を混合して接着性処理剤５を形成することにより、抗菌性、防カビ性、抗ウィルス性、抗アレルゲン性、吸湿性の機能を集塵効率を低下することなく発揮する機能性フィルター４Ａを得ることができるとともに、接着性処理剤５により非導電性濾材１Ａと帯電性濾材２Ａの接着と２つ以上の素材を同時に添着することができ、接着剤を塗布するための製造工程を省くことができ、製造工程の削減を図ることができる。
【００４８】
（実施の形態３）
図３に示すように、実施の形態１で詳細に説明した、抗菌性を有する素材、防カビ性を有する素材、抗ウィルス性を有する素材、抗アレルゲン性を有する素材、吸湿性を有する素材の中から２つ以上の素材を混合した処理剤と合成繊維材料を材料段階で混合し、この混合物により非導電性濾材１Ｂを形成する。
【００４９】
非導電性濾材１Ｂと帯電性濾材２Ｂを接着剤３Ａで接着して機能性フィルター４Ｂを構成する。
【００５０】
上記構成の機能性フィルター４Ｂを使用するときには空気流路の風上側に帯電性濾材２Ｂ側を配し、風下側に非導電性濾材１Ｂ側を配設して使用する。
【００５１】
そして、抗菌性を有する素材、防カビ性を有する素材、抗ウィルス性を有する素材、抗アレルゲン性を有する素材、吸湿性を有する素材の中から選ばれた２つ以上の素材がフィルターに添着されているため、空気中に浮遊しているダニ、花粉、細菌、カビ、ウィルス等の浮遊有害物質を帯電性濾材２Ｂに捕集し、捕集した有害物質を非導電性濾材１Ｂで不活化することができる。添着される素材は捕集して不活化したい物質に応じて適宜選択することができる。
【００５２】
また、処理剤と合成繊維材料との混合物により形成した非導電性濾材１Ｂと、帯電性濾材２Ｂとを接着剤３Ａで接着することにより抗菌性、防カビ性、抗ウィルス性、抗アレルゲン性、吸湿性の機能を集塵効率を低下することなく発揮する機能性フィルター４Ｂを得ることができるとともに、非導電性濾材１Ｂの材料段階で２つ以上の素材を混合させることにより、水洗時などにおいても有効成分が溶け出しにくくなる効果をもたらす。
【００５３】
（実施の形態４）
抗菌性、抗ウィルス性を有する素材をカテキン類とした構成とする。
【００５４】
上記構成により、カテキン類として、エビガロカテキンガレード、エビカテキンガレード、エビガロカテキン、エビカテキン、（＋）カテキンおよびこれらの属性体、遊離型テアフラピン、エアフラピンモノガレードＡ、エアフラビンモノガレードＢ並びにエアフラビンジガレードなどが有効であり、緑茶、紅茶、柿などから成分抽出するカテキン類のみで抗菌性、抗ウィルス性を得ることができ、添着する素材の種類を少なくした機能性フィルターを形成することができる。
【００５５】
（実施の形態５）
図４に示すように、非導電性濾材１Ｃに、粒子状接着剤３Ｃを均一に塗布し、加熱温度１５０℃以下好ましくは１３０℃以下の加熱炉６Ａで接着剤３Ｃを溶融し、上方より帯電性濾材２Ｃを重ねてロール６Ｂで加圧接着して常温で冷却する機能性フィルター４Ｃの製造方法である。
【００５６】
この製造方法とすることにより、非導電性濾材１Ｃおよび帯電性濾材２Ｃの加熱温度が高温時における収縮に伴う変形や処理液中の素材の変質を防止することができることとなる。
【００５７】
（実施の形態６）
図５に示すように、吸込口８と吹出口９を有した枠体１０内に機能性フィルター４Ｄとファンモータ１１を設けて空気清浄装置１２を形成して構成する。
【００５８】
上記構成において、空気清浄装置１２を運転すると、浮遊有害物質が混入されている汚れた空気は、空気清浄装置１２の吸込口８からファンモータ１１により吸引され機能性フィルター４Ｄに送られ、塵埃や浮遊有害物質をフィルター捕集して浄化し、きれいな空気となって吹出口９より排出する。このとき、機能性フィルター４Ｄは空気中に浮遊しているダニ、花粉、細菌、カビ、ウィルス等の浮遊有害物質を不活化することとなり、効率の良い吸着、除去と不活化が行なわれ、有害性を持ったままで、有害物質が再飛散するのを防止することができる。
【００５９】
（実施の形態７）
図６に示すように、吸込口８Ａと吹出口９Ａを有した枠体１０Ａ内に機能性フィルター４Ｄとファンモータ１１Ａを設けて換気装置１３を形成して構成する。
【００６０】
上記構成において、換気装置１３を運転すると、浮遊有害物質が混入されている汚れた空気は、換気装置１３の吸込口８Ａからファンモータ１１Ａにより吸引され、機能性フィルター４Ｄに送られ、塵埃や浮遊有害物質を濾過、フィルター捕集して浄化され、きれいな空気となって吹出口９Ａより排出される。このとき、機能性フィルター４Ｄは、空気中に浮遊しているダニ、花粉、細菌、カビ、ウィルス等の浮遊有害物質を不活化することとなり、効率の良い空気浄化と不活化が行なわれ、有害性を持ったままで有害物質が再飛散するのを防止することができる。
【００６１】
（実施の形態８）
図７に示すように、吸込口８Ｂと吹出口９Ｂを有した枠体１０Ｂ内に機能性フィルター４Ｄとファンモータ１１Ａと熱源１４を設けて加温装置１５を形成し構成する。
【００６２】
上記構成において、加温装置１５を運転すると、浮遊有害物質が混入されている汚れた空気は、加温装置１５の吸込口８Ｂからファンモータ１１Ａにより吸引され、機能性フィルター４Ｄに送られ、塵埃や浮遊有害物質がフィルター捕集され、きれいな空気が熱源１４により加熱され、吹出口９Ｂより温風となって送風される。このとき、機能性フィルター４Ｄは空気中に浮遊しているダニ、花粉、細菌、カビ、ウィルス等の浮遊有害物質を捕集して不活化することとなり、効率の良い空気浄化と不活化が行なわれ、有害性を持ったままで有害物質が再飛散するのを防止することができる。
【００６３】
（実施の形態９）
図８に示すように、吸込口８Ｃと吹出口９Ｃを有した枠体１０Ｃ内に、機能性フィルター４Ｅを水供給部１６を介して設け、風下側にファンモータ１１Ａを設けて加湿装置１７を形成して構成する。
【００６４】
上記構成において、機能性フィルター４Ｅは、吸水性基材で構成されたフィルターの一部を水中に浸漬するか、上部から水を供給して加湿装置１７を運転すると、浮遊有害物質が混入されている汚れた空気は加湿装置１７の吸込口８Ｃからファンモータ１１Ａにより吸引され、機能性フィルター４Ｅを通過するときに加湿するとともに、塵埃や浮遊有害物質がフィルター捕集され、きれいになった加湿空気が吹出口９Ｃより送風される。このとき、機能性フィルター４Ｅは空気中に浮遊しているダニ、花粉、細菌、カビ、ウィルス等の浮遊有害物質を捕集して不活化することとなり、効率の良い空気浄化と不活化が行なわれ、加湿しながら、有害性物質の再飛散を防止することができる。
【００６５】
（実施の形態１０）
図９に示すように、吸込口８Ｄと吹出口９Ｄを有した枠体１０Ｄ内に機能性フィルター４Ｄとファンモータ１１Ａと熱源１４Ａを設け、吹出口９Ｄには布団（図示せず）乾燥する乾燥袋１８を設け布団乾燥装置１９を形成して構成する。
【００６６】
上記構成において、布団の間に乾燥袋１８を配設して布団乾燥装置１９を運転すると、浮遊有害物質が混入している汚れた空気は、布団乾燥装置１９の吸込口８Ｄからファンモータ１１Ａにより吸引され機能性フィルター４Ｄに送られ、塵埃や有害汚染物質がフィルター濾過により浄化され、きれいになった空気が熱源１４Ａにより加熱され、吹出口９Ｄに設けた乾燥袋１８からの放熱によって布団が乾燥される。このとき、機能性フィルター４Ｄは、空気中に浮遊しているダニ、花粉、細菌、カビ、ウィルス等の有害性物質を不活化することとなり、効率の良い空気浄化と不活化が行なわれ、有害性を持ったままでの再飛散を防止できる空気清浄機能を有した布団乾燥装置１９が得られる。
【００６７】
（実施の形態１１）
図１０に示すように、吸込口８Ｅと吹出口９Ｅを有した枠体１０Ｅ内に機能性フィルター４Ｄと熱交換器２０とファンモータ１１Ａを設け、空気調和装置２１を構成する。
【００６８】
上記構成において、空気調和装置２１を運転すると、有害汚染物質が混入している汚れた空気は、空気調和装置２１の吸込口８Ｅからファンモータ１１Ａにより吸引され、機能性フィルター４Ｄに送られ、塵埃や有害汚染物質がフィルター濾過により浄化され、浄化された空気は、夏期の冷房時には、熱交換器２０により冷却され、冷却された空気が吹出口９Ｅより放散されて冷房が行なわれ、冬期の暖房時には熱交換器２０により加熱され、加熱された空気が吹出口９Ｅより放散されて暖房が行なわれる。このとき、機能性フィルター４Ｄは、空気中に浮遊しているダニ、花粉、細菌、カビ、ウィルス等の有害性物質を捕集して不活化することとなり、効率の良い空気浄化と不活化が行なわれ、有害性を持ったままでの再飛散を防止できる空気清浄機能を有した空気調和装置が得られる。
【００６９】
（実施の形態１２）
図１１に示すように、外枠２２内に室外側吸込口２３から室内側排気口２４に至る給気流路２５と、室内側吸込口２６から室外側排気口２７に至る排気流路２８と、給気流路２５に設けられる給気用ファンモータ２９と、排気流路２８に設けられる排気用ファンモータ３０と、給気流路２５と排気流路２８間に設けられる熱交換素子３１と、熱交換素子３１の風上側に設けられる機能性フィルター４Ｆとを設け熱交換装置３２を構成する。
【００７０】
上記構成において、熱交換装置３２を運転すると、室内側排気口２４より室内の熱分を含んだ空気が排気用ファンモータ３０により排気流路２８内に吸い込まれ、排気流路２８に設けた熱交換素子３１に蓄熱したのち、室外側排気口２７より室外に排気され、一方、給気用ファンモータ２９により室外側吸込口２３内に有害汚染物質が混入している汚れた空気が吸い込まれ、機能性フィルター４Ｆに送られ、塵埃や有害汚染物質がフィルター濾過により浄化され、きれいになった空気が熱交換素子３１を通る間に蓄熱されていた熱分を回収した室内側吸込口２６より室内に放熱される。このとき、機能性フィルター４Ｆは、空気中に浮遊しているダニ、花粉、細菌、カビ、ウィルス等の有害性物質を捕集して不活化することとなり、効率の良い空気浄化と不活化が行なわれ、有害性を持ったままでの再飛散を防止できる空気清浄機能を有した熱交換装置が得られる。
【００７１】
（実施の形態１３）
図１２に示すように、機能性フィルター４Ｇの両端に補強部３３を介しバンド３４を設けてマスク３５を構成する。
【００７２】
上記構成において、マスク３５の使用時には、有害汚染物質が混入している汚れた空気は、マスク３５の機能性フィルター４Ｇにより有害汚染物質がフィルターで浄化され、捕集したダニ、花粉、細菌、カビ、ウィルス等の浮遊有害物質を不活化する。そして、浮遊有害物質にあわせた不活化剤がフィルターに添着されていることにより、効率の良い空気浄化と不活化が行なわれ、使用者が吸い込む空気を清浄な状態に保つことができるマスク３５が得られる。
【００７３】
なお、本実施例では機能性フィルター４Ｇをマスク３５と一体に設けたが、機能性フィルター４Ｇをマスク３５から着脱可能としてもよい。
【産業上の利用可能性】
【００７４】
機能性フィルターは、空気の流通するところに用いることにより効果を発揮するものであることから空気の流通するあらよる装置に適用することができる。
【図面の簡単な説明】
【００７５】
【図１】本発明の実施の形態１の機能性フィルターの断面図
【図２】本発明の実施の形態２の機能性フィルター断面図
【図３】本発明の実施の形態３の機能性フィルターの断面図
【図４】本発明の実施の形態５の機能性フィルターの製造工程図
【図５】本発明の実施の形態６の空気清浄装置の断面図
【図６】本発明の実施の形態７の換気装置の断面図
【図７】本発明の実施の形態８の加温装置の断面図
【図８】本発明の実施の形態９の加湿装置の断面図
【図９】本発明の実施の形態１０の布団乾燥装置の断面図
【図１０】本発明の実施の形態１１の空気調和装置の断面図
【図１１】本発明の実施の形態１２の熱交換装置の断面図
【図１２】本発明の実施の形態１３のマスクの正面図
【図１３】従来の不織布フィルターの断面図
【図１４】同他の不織布フィルターの断面図
【符号の説明】
【００７６】
１  非導電性濾材
１Ａ  非導電性濾材
１Ｂ  非導電性濾材
１Ｃ  非導電性濾材
２  非導電性濾材
２Ａ  非導電性濾材
２Ｂ  非導電性濾材
２Ｃ  非導電性濾材
３  接着剤
３Ａ  接着剤
４  機能性フィルター
４Ａ  機能性フィルター
４Ｂ  機能性フィルター
４Ｃ  機能性フィルター
１２  空気清浄装置
１３  換気装置
１５  加温装置
１７  加湿装置  
１９  布団乾燥装置
２１  空気調和装置
３２  熱交換装置
３５  マスク
【図１】
2005152793.tif 000003
【図２】
2005152793.tif 000004
【図３】
2005152793.tif 000005
【図４】
2005152793.tif 000006
【図５】
2005152793.tif 000007
【図６】
2005152793.tif 000008
【図７】
2005152793.tif 000009
【図８】
2005152793.tif 000010
【図９】
2005152793.tif 000011
【図１０】
2005152793.tif 000012
【図１１】
2005152793.tif 000013
【図１２】
2005152793.tif 000014
【図１３】
2005152793.tif 000015
【図１４】
2005152793.tif 000016